(57)【要約】【課題】  信頼性の高い湯張り完了を報知するとともに、安価な落とし込み式給湯機１００の提供。【解決手段】  流量計３による計量流量の積算値と、所定の湯量とを比較する、または計時した給湯時間と、所定の時間とを比較すると共に、流量計３の流量がゼロである事を確認し、ゼロであったならば制御装置２は報知手段９４、９５にて報知する。または、定量止水栓５にて所定流量が給湯された事が確認された場合、若しくは所定給湯時間が経過した場合、制御装置２にその旨を伝達し、報知手段９４、９５にて報知する事で、信頼性の高い湯張り完了の報知が行える。  この際、弁体５７を特定の開閉パターンにて開閉する事で、給湯配管４内の湯を信号伝達媒体として用いる事で、定量止水栓５と制御装置２とは電気的接続を配設する必要がなくなり、落とし込み式給湯機１００のコストを低減する事が可能になる。【選択図】  図１
2005180903.tif 000002
【特許請求の範囲】
【請求項１】
水を加熱し、湯にする加熱手段（１）と、
前記加熱手段（１）の下流側に配置される第一の流量計（３）と、
前記第一の流量計（３）の下流側で分流される一部の湯を浴槽（６）内に湯張りする水栓（５）と、
前記加熱手段（１）と、前記第一の流量計（３）と、前記水栓（５）とを、前記湯が流通可能に接続する給湯配管（４）と、
前記第一の流量計（３）による計量流量の積算値と、所定量とを比較する第一の比較判定手段（Ｓ４）と、
前記第一の比較判定手段（Ｓ４）が、前記計量流量の積算値は前記所定量に到達したと判定した場合、前記浴槽（６）内への湯張りの完了を報知する報知手段（９４、９５）と、
前記第一の比較判定手段（Ｓ４）の判定結果に応じて、前記報知手段（９４、９５）に報知作動させるとともに、前記第一の比較判定手段（Ｓ４）を備える第一の制御手段（２）とを有する落とし込み式給湯装置であって、
前記水栓（５）は、前記浴槽（６）内に湯張りされる量が所定量に達すると、自動的に止水する定量止水栓（５）であり、
前記第一の制御手段（２）は、前記第一の流量計（３）が計量する流量がゼロになったか否かを判定する第二の比較判定手段（Ｓ５）を備え、
前記第一の制御手段（２）は、前記第一の比較判定手段（Ｓ４）が、前記計量流量の積算値は、前記所定量に達したと判定し、かつ、前記第二の比較判定手段（Ｓ５）が、前記第一の流量計（３）からの前記計量流量がゼロになったと判定した後に、前記報知手段（９４、９５）にて、前記浴槽（６）内への湯張りが完了した事を報知するよう制御する事を特徴とする落とし込み式給湯機。
【請求項２】
前記第一、第二の比較判定手段（Ｓ４、Ｓ５）は、前記第一の流量計（３）が計量した前記湯量に対応する給湯時間によって判定する事を特徴とする請求項１に記載の落とし込み式給湯機。
【請求項３】
前記所定量は、約１００Ｌ以上で、かつ約２００Ｌ以下に設定可能である事を特徴とする請求項１または２に記載の落とし込み式給湯機。
【請求項４】
水を加熱し、湯にする加熱手段（１）と、
前記加熱手段（１）の下流側に配置される第一の流量計（３）と、
前記第一の流量計（３）の下流側で分流される一部の湯を浴槽（６）内に湯張りする水栓（５）と、
前記加熱手段（１）と、前記第一の流量計（３）と、前記水栓（５）とを、前記湯が流通可能に接続する給湯配管（４）と、
前記第一の流量計（３）による計量流量が予め定められたパターンの流量変化であるか否かを判定する第三の比較判定手段（Ｓ４５）と、
前記浴槽（６）内への湯張りの完了を報知する報知手段（９４、９５）と、
前記第三の比較判定手段（Ｓ４５）の判定結果に応じて、前記報知手段（９４、９５）を作動させるとともに、前記第三の比較判定手段（Ｓ４５）を備える第一の制御手段（２）とを有する落とし込み式給湯機であって、
前記水栓（５）は、該水栓（５）に内蔵されるとともに、前記給湯配管（４）と前記湯が流通可能に接続する通湯路（５０）を開閉する開閉手段（５７）と、
前記水栓（５）に内蔵されるとともに、前記開閉手段（５７）の下流側にて前記通湯路（５０）内を流通する前記湯の流量を計測する第二の流量計（５５）と、
前記第二の流量計（５５）による計量流量の積算値が、所定量に達したか否かを判定し、前記所定量に達した場合は、前記開閉手段（５７）を閉成するよう制御する第二の制御手段（５６）とを備える定量止水栓（５）であって、
前記第二の制御手段（５６）は、前記浴槽（６）への湯張り作動の終了寸前時に、前記開閉手段（５７）に対し、前記第一の流量計（３）が検知可能な流量変化を起こす、予め定めたパターンの開閉動作を行うよう制御するとともに、
前記第三の比較判定手段（Ｓ４５）は、前記第一の流量計（３）が検知する流量変化が、前記予め定められたパターンの流量変化であったと判定した場合、前記第一の制御手段（２）は、前記報知手段（９４、９５）にて、浴槽（６）内への湯張りが完了した事を報知するよう制御する事を特徴とする落とし込み式給湯機。
【請求項５】
水を加熱し、湯にする加熱手段（１）と、
前記加熱手段（１）の下流側に配置される第一の流量計（３）と、
前記第一の流量計（３）の下流側で分流される一部の湯を浴槽（６）内に湯張りする水栓（５）と、
前記加熱手段（１）と、前記第一の流量計（３）と、前記水栓（５）とを、前記湯が流通可能に接続する給湯配管（４）と、
前記第一の流量計（３）による計量流量が予め定められたパターンの流量変化であるか否かを判定する第三の比較判定手段（Ｓ４５）と、
前記浴槽（６）内への湯張りの完了を報知する報知手段（９４、９５）と、
前記第三の比較判定手段（Ｓ４５）の判定結果に応じて、前記報知手段（９４、９５）を作動させるとともに、前記第三の比較判定手段（Ｓ４５）を備える第一の制御手段（２）とを有する落とし込み式給湯機であって、
前記水栓（５）は、該水栓（５）に内蔵されるとともに、前記給湯配管（４）と前記湯が流通可能に接続する通湯路（５０）を開閉する開閉手段（５７）と、
前記水栓（５）に内蔵されるとともに、給湯時間を計時する計時手段と、
前記計時手段による給湯時間が、所定時間に達したか否かを判定し、前記所定時間に達した場合は、前記開閉手段（５７）を閉成するよう制御する第二の制御手段（５６）とを備える定時止水栓（５）であって、
前記第二の制御手段（５６）は、前記浴槽（６）への湯張り作動の終了寸前時に、前記開閉手段（５７）に対し、前記第一の流量計（３）が検知可能な流量変化を起こす、予め定めたパターンの開閉動作を行うよう制御するとともに、
前記第三の比較判定手段（Ｓ４５）は、前記第一の流量計（３）が検知する流量変化が、前記予め定められたパターンの流量変化であったと判定した場合、前記第一の制御手段（２）は、前記報知手段（９４、９５）にて、浴槽（６）内への湯張りが完了した事を報知するよう制御する事を特徴とする落とし込み式給湯機。
【請求項６】
給水源（Ａ）から給水される水の温度（ｔ２）を計測する水温計測手段（１１）と、
前記給水源（Ａ）から給水される前記水を加熱し、湯にする加熱手段（１）と、
前記湯の温度（ｔ１）を計測する湯温計測手段（１２）と、
前記加熱手段（１）の下流側に配置され、給湯量（Ｑ１）を計量するための流量計（３）と、
前記流量計（３）の下流側で分流される一部の湯を浴槽（６）内に湯張りする水栓（５）と、
前記給水源（Ａ）と、前記加熱手段（１）と、前記流量計（３）と、前記水栓（５）とを、前記湯が流通可能に接続する給湯配管（４）と、
前記浴槽（６）内に湯張りされる希望温度（ｔ０）と、前記浴槽（６）内に湯張りされる希望湯量（Ｑ３）とを設定する設定手段（９３）と、
前記浴槽（６）内への湯張りが完了した旨を報知する報知手段（９４、９５）と、
前記水温計測手段（１１）と、前記湯温計測手段（１２）と、前記設定手段（９３）と、前記流量計（３）と、前記報知手段（９４、９５）と電気的に接続するとともに、前記浴槽（６）への湯張り完了を判定する制御手段（２）とを有する落とし込み式給湯機であって、
前記制御手段（２）は、前記流量計（３）が計量する流量の積算値である前記給湯量（Ｑ１）が次式
（数１）Ｑ１≧Ｒ
（数２）Ｒ＝（ｔ０−ｔ２）Ｑ３／（ｔ１−ｔ２）
（但し、Ｑ１は給湯量、Ｒは判定値、ｔ０は希望温度、ｔ１は給湯温度、ｔ２は水温、Ｑ３は希望湯量）
を満たした場合に前記報知手段（９４、９５）にて前記浴槽（６）内への湯張りが完了した旨を報知することを特徴とする落とし込み式給湯機。
【請求項７】
前記制御手段（２）は、前記浴槽（６）内への湯張り完了を判定する判定値（Ｒ）を演算する第一の演算手段（ステップＳ１０２）と、
第一の補正値（Ｃ１）を格納する格納手段（２２ａ）とを備え、
前記第一の演算手段（ステップＳ１０２）は、前記判定値（Ｒ）を次式
（数３）Ｒ＝（（ｔ０−ｔ２）Ｑ３／（ｔ１−ｔ２））−Ｃ１
（但し、ｔ０は希望温度、ｔ１は給湯温度、ｔ２は水温、Ｑ３は希望湯量、Ｃ１は第一の補正値）
にて求めることを特徴とする請求項６に記載の落とし込み式給湯機。
【請求項８】
給水源（Ａ）から給水される水の温度（ｔ２）を計測する水温計測手段（１１）と、
前記給水源（Ａ）から給水される前記水を加熱し、湯にする加熱手段（１）と、
前記湯の温度（ｔ１）を計測する湯温計測手段（１２）と、
前記加熱手段（１）の下流側に配置され、給湯量（Ｑ１）を計量するための流量計（３）と、
前記流量計（３）の下流側で分流される一部の湯を浴槽（６）内に湯張りする水栓（５）と、
前記給水源（Ａ）と、前記加熱手段（１）と、前記流量計（３）と、前記水栓（５）とを、前記湯が流通可能に接続する給湯配管（４）と、
前記浴槽（６）内に湯張りされる希望温度（ｔ０）と、前記浴槽（６）内に湯張りされる希望湯量（Ｑ３）とを設定する設定手段（９３）と、
前記浴槽（６）内への湯張りが完了した旨を報知する報知手段（９４、９５）と、
前記水温計測手段（１１）と、前記湯温計測手段（１２）と、前記設定手段（９３）と、前記流量計（３）と、前記報知手段（９４、９５）と電気的に接続するとともに、前記浴槽（６）への湯張り完了を判定する制御手段（２）とを有する落とし込み式給湯機であって、
前記水栓（５）は、前記浴槽（６）内に湯張りされる量が希望湯量（Ｑ３）に達すると、自動的に止水する定量止水栓（５）であり、
前記制御手段（２）は、前記流量計（３）が計量する流量の積算値である前記給湯量（Ｑ１）が次式
（数１）Ｑ１≧Ｒ
（数２）Ｒ＝（ｔ０−ｔ２）Ｑ３／（ｔ１−ｔ２）
（但し、Ｑ１は給湯量、Ｒは判定値、ｔ０は希望温度、ｔ１は給湯温度、ｔ２は水温、Ｑ３は希望湯量）
を満たし、かつ、前記流量計（３）の計量流量がゼロとなった場合に前記報知手段（９４、９５）にて前記浴槽（６）内への湯張りが完了した旨を報知することを特徴とする落とし込み式給湯機。
【請求項９】
前記制御手段（２）は、前記浴槽（６）内への湯張り完了を判定する判定値（Ｒ）を演算する第一の演算手段（ステップＳ１０２）と、
第一の補正値（Ｃ１）を格納する格納手段（２２ａ）とを備え、
前記第一の演算手段（ステップＳ１０２）は、前記判定値（Ｒ）を次式
（数３）Ｒ＝（（ｔ０−ｔ２）Ｑ３／（ｔ１−ｔ２））−Ｃ１
（但し、ｔ０は希望温度、ｔ１は給湯温度、ｔ２は水温、Ｑ３は希望湯量、Ｃ１は第一の補正値）
にて求めることを特徴とする請求項８に記載の落とし込み式給湯機。
【請求項１０】
給水源（Ａ）から給水される水の温度（ｔ２）を計測する水温計測手段（１１）と、
前記給水源（Ａ）から給水される前記水を加熱し、湯にする加熱手段（１）と、
前記湯の温度（ｔ１）を計測する湯温計測手段（１２）と、
前記加熱手段（１）の下流側に配置され、給湯時間（Ｔｃ）を計量するための流量計（３）と、
前記流量計（３）の下流側で分流される一部の湯を浴槽（６）内に湯張りする水栓（５）と、
前記給水源（Ａ）と、前記加熱手段（１）と、前記流量計（３）と、前記水栓（５）とを、前記湯が流通可能に接続する給湯配管（４）と、
前記浴槽（６）内に湯張りされる希望温度（ｔ０）と、前記浴槽（６）内に湯張りされる希望湯量（Ｑ３）とを設定する設定手段（９３）と、
前記浴槽（６）内への湯張りが完了した旨を報知する報知手段（９４、９５）と、
前記水温計測手段（１１）と、前記湯温計測手段（１２）と、前記設定手段（９３）と、前記流量計（３）と、前記報知手段（９４、９５）と電気的に接続するとともに、前記浴槽（６）への湯張り完了を判定する制御手段（２）とを有する落とし込み式給湯機であって、
前記制御手段（２）は、給湯時間が次式
（数４）Ｔｃ≧Ｔ
（数５）Ｔ＝（（ｔ０−ｔ２）Ｑ３／（ｔ１−ｔ２））／Ｋ
（但し、ｔ０は希望温度、ｔ１は給湯温度、ｔ２は水温、Ｑ３は希望湯量、Ｋは基準流量）
を満たした場合に前記報知手段（９４、９５）にて前記浴槽（６）内への湯張りが完了した旨を報知することを特徴とする落とし込み式給湯機。
【請求項１１】
前記制御手段（２）は、前記浴槽（６）内への湯張り完了を判定する判定時間（Ｔ）を演算する第二の演算手段（ステップＳ１１２）と、
第二の補正値（Ｃ２）を格納する格納手段（２２ａ）とを備え、
前記第二の演算手段（ステップＳ１１２）は、前記判定時間（Ｔ）を次式
（数６）Ｔ＝（（（ｔ０−ｔ２）Ｑ３／（ｔ１−ｔ２））／Ｋ）−Ｃ２
（但し、ｔ０は希望温度、ｔ１は給湯温度、ｔ２は水温、Ｑ３は希望湯量、Ｋは基準流量、Ｃ２は第二の補正値）
にて求めることを特徴とする請求項１０に記載の落とし込み式給湯機。
【請求項１２】
給水源（Ａ）から給水される水の温度（ｔ２）を計測する水温計測手段（１１）と、
前記給水源（Ａ）から給水される前記水を加熱し、湯にする加熱手段（１）と、
前記湯の温度（ｔ１）を計測する湯温計測手段（１２）と、
前記加熱手段（１）の下流側に配置され給湯時間（Ｔｃ）を計量するための流量計（３）と、
前記流量計（３）の下流側で分流される一部の湯を浴槽（６）内に湯張りする水栓（５）と、
前記給水源（Ａ）と、前記加熱手段（１）と、前記流量計（３）と、前記水栓（５）とを、前記湯が流通可能に接続する給湯配管（４）と、
前記浴槽（６）内に湯張りされる希望温度（ｔ０）と、前記浴槽（６）内に湯張りされる希望湯量（Ｑ３）とを設定する設定手段（９３）と、
前記浴槽（６）内への湯張りが完了した旨を報知する報知手段（９４、９５）と、
前記水温計測手段（１１）と、前記湯温計測手段（１２）と、前記設定手段（９３）と、前記流量計（３）と、前記報知手段（９４、９５）と電気的に接続するとともに、前記浴槽（６）への湯張り完了を判定する制御手段（２）とを有する落とし込み式給湯機であって、
前記水栓（５）は、前記浴槽（６）内に湯張りされる量が希望湯量（Ｑ３）に達すると、自動的に止水する定量止水栓（５）であり、
前記制御手段（２）は、給湯時間が次式
（数４）Ｔｃ≧Ｔ
（数５）Ｔ＝（（ｔ０−ｔ２）Ｑ３／（ｔ１−ｔ２））／Ｋ
を満たし、かつ、前記流量計（３）の計量流量がゼロとなった場合に前記報知手段（９４、９５）にて前記浴槽（６）内への湯張りが完了した旨を報知することを特徴とする落とし込み式給湯機。
【請求項１３】
前記制御手段（２）は、前記浴槽（６）内への湯張り完了を判定する判定時間（Ｔ）を演算する第二の演算手段（ステップＳ１１２）と、
第二の補正値（Ｃ２）を格納する格納手段（２２ａ）とを備え、
前記第二の演算手段（ステップＳ１１２）は、前記判定時間（Ｔ）を次式
（数４）Ｔ＝（（（ｔ０−ｔ２）Ｑ３／（ｔ１−ｔ２））／Ｋ）−Ｃ２
にて求めることを特徴とする請求項１２に記載の落とし込み式給湯機。
【請求項１４】
前記水栓（５）は、前記浴槽（６）内に湯張りされる時間が所定時間に達すると、自動的に止水する定時間止水栓であることを特徴とする請求項１、請求項２、請求項８、請求項９、請求項１２、請求項１３に記載の落とし込み式給湯機。
【発明の詳細な説明】
【技術分野】
【０００１】
本発明は、蛇口から直接的に湯を落とし込んで浴槽に湯を張る、落とし込み式給湯機に関するものである。
【背景技術】
【０００２】
従来技術として、特許文献１で開示されているように、落とし込み式給湯機が湯張りを完了した場合、その旨を報知する報知手段に関する技術が開示されている。
【０００３】
これは、流量計で計量した計量湯量の積算値が、予め設定した浴槽の満水値に達した時、表示器またはスピーカーなどの報知手段にて、その旨を報知すると言うものである。
【０００４】
しかし、上述した落とし込み式給湯機では、浴槽だけでなく、台所や洗面所への給湯も含めた総給湯量によって、浴槽の満水値に達したか否かを判定してしまう。
【０００５】
即ち、例えば、ユーザーが浴槽に給湯しながら並行的に台所や洗面所でも給湯すると、浴槽への給湯量が、台所や洗面所での給湯量だけ少ない時点で、湯張り完了の報知をしてしまうと言う不具合が発生する可能性があり、湯張り完了の報知に関する信頼性が低くなると言う不具合が生じる可能性が存在している。
【０００６】
また、浴槽用水栓にて湯と水を混合して湯張りした場合は、給湯量だけを計量して浴槽の満水値に達したか否かを判断することができないという問題がある。
【特許文献１】実開平８−３８４１号公報
【発明の開示】
【発明が解決しようとする課題】
【０００７】
上述したような問題を解決する為に、本発明では、定量止水栓を適用した給湯機において、信頼性の高い湯張り完了の報知を可能とする落とし込み式給湯機を提供する事を目的とする。
【課題を解決するための手段】
【０００８】
本発明は上記目的を達成するために、以下の技術的手段を採用する。
【０００９】
請求項１に記載の落とし込み式給湯機は、水を加熱し、湯にする加熱手段と、加熱手段の下流側に配置される第一の流量計と、第一の流量計の下流側で分流される一部の湯を浴槽内に湯張りする水栓と、加熱手段と、第一の流量計と、水栓とを、湯が流通可能に接続する給湯配管と、第一の流量計による計量流量の積算値と、所定量とを比較する第一の比較判定手段と、第一の比較判定手段が、計量流量の積算値は所定量に到達したと判定した場合、浴槽内への湯張りの完了を報知する報知手段と、第一の比較判定手段の判定結果に応じて、報知手段に報知作動させるとともに、第一の比較判定手段を備える第一の制御手段とを有する落とし込み式給湯装置であって、水栓は、浴槽内に湯張りされる量が所定量に達すると、自動的に止水する定量止水栓であり、第一の制御手段は、第一の流量計が計量する流量がゼロになったか否かを判定する第二の比較判定手段を備え、第一の制御手段は、第一の比較判定手段が、計量流量の積算値は、所定量に達したと判定し、かつ、第二の比較判定手段が、第一の流量計からの計量流量がゼロになったと判定した後に報知手段にて、浴槽内への湯張りが完了した事を報知するよう制御する事を特徴とする。
【００１０】
この発明により、第二の比較判定手段が計測湯量をゼロと判定（すなわち湯が流通していない）しない限り、報知手段から湯張り完了の報知がなされないので、例えば、湯張り完了の報知が成されたのに、定量止水栓は未だに浴槽に湯を給湯している、などと言う不一致が生じると言うような事がなく、信頼性の高い湯張り完了の報知をなす定量止水栓を適用した落とし込み式給湯機を提供する事が可能となる。
【００１１】
請求項２に記載の落とし込み式給湯機は、第一、第二の比較判定手段は、流量計が計量した湯量に対応する給湯時間によって判定する事を特徴とする。
【００１２】
この発明により、流量を計測する複雑で高価な構成要素よりも、時間を計測する簡易で安価な構成要素によって、当該発明をなし得る事が可能となる。
【００１３】
請求項３に記載の落とし込み式給湯機は、第一の比較判定手段が判定するための所定量は、約１００Ｌ以上で、かつ約２００Ｌ以下に設定可能である事を特徴とする。
【００１４】
この発明により、殆どの満水サイズの浴槽に対応出来るようになるので、個々の浴槽に合わせた満水値を設定する必要がなくなり、簡便に当該落とし込み式給湯機を設置する事が可能となる。
【００１５】
請求項４に記載の落とし込み式給湯機は、水を加熱し、湯にする加熱手段と、加熱手段の下流側に配置される第一の流量計と、第一の流量計の下流側で分流される一部の湯を浴槽内に湯張りする水栓と、加熱手段と、第一の流量計と、水栓とを、湯が流通可能に接続する給湯配管と、第一の流量計による計量流量が予め定められたパターンの流量変化であるか否かを判定する第三の比較判定手段と、浴槽内への湯張りの完了を報知する報知手段と、第三の比較判定手段の判定結果に応じて、報知手段を作動させるとともに、第三の比較判定手段を備える第一の制御手段とを有する落とし込み式給湯機であって、水栓は、水栓に内蔵されるとともに、給湯配管と湯が流通可能に接続する通湯路を開閉する開閉手段と、水栓に内蔵されるとともに、開閉手段の下流側にて通湯路内を流通する湯の流量を計測する第二の流量計と、第二の流量計による計量流量の積算値が、所定量に達したか否かを判定し、所定量に達した場合は、開閉手段を閉成するよう制御する第二の制御手段とを備える定量止水栓であって、第二の制御手段は、浴槽への湯張り作動の終了寸前時に、開閉手段に対し、第一の流量計が検知可能な流量変化を起こす、予め定めたパターンの開閉動作を行うよう制御するとともに、第三の比較判定手段は、第一の流量計が検知する流量変化が、予め定められたパターンの流量変化であったと判定した場合、第一の制御手段は、報知手段にて、浴槽内への湯張りが完了した事を報知するよう制御する事を特徴とする。
【００１６】
この発明により、落し込み給湯機は、浴槽と台所に同時給湯していた場合でも、第三の比較判定手段が、湯張りの終了寸前時に行なわれる予め定められた開閉パターンに伴う流量変化があったと判定した場合、湯張り完了と認識する為、第一の流量計と第一の制御手段とにて、所定量を記憶する必要も、所定量と計量流量の積算値とを比較する第一の比較判定手段も必要なく、湯張り完了の旨を報知する事が可能となる為、安価に、且つ信頼性の高い湯張り完了の報知を行う事が可能となる。
【００１７】
請求項５に記載の落とし込み式給湯機は、水を加熱し、湯にする加熱手段と、加熱手段の下流側に配置される第一の流量計と、第一の流量計の下流側で分流される一部の湯を浴槽内に湯張りする水栓と、第一の流量計による計量流量が予め定められたパターンの流量変化であるか否かを判定する第三の比較判定手段と、浴槽内への湯張りの完了を報知する報知手段と、第三の比較判定手段の判定結果に応じて、報知手段を作動させるとともに、第三の比較判定手段を備える第一の制御手段とを有する落とし込み式給湯機であって、水栓は、通水路を開閉する開閉手段と、給湯時間を計時する計時手段と、開閉手段の開閉を制御するとともに、計時手段による給湯時間が、所定時間に達したか否かを判定し、所定時間に達した場合は、開閉手段を閉成するよう制御する第二の制御手段とを備える定時止水栓であって、第二の制御手段は、浴槽への湯張り作動の終了寸前時に、開閉手段に対し、予め定めたパターンの開閉動作を行うよう制御するとともに、第三の比較判定手段は、第一の流量計が検知する流量変化が、予め定められたパターンの流量変化であったと判定した場合、報知手段にて、浴槽内への湯張りが完了した事を報知するよう制御する事を特徴とする。
【００１８】
この発明により、流量を計測、積算する高価な構成要素よりも、時間を計測する簡易で安価な構成要素によって、湯張りの完了を認識する事が可能となるので、更に安価に、且つ信頼性の高い湯張り完了の報知を行う事が可能となる。
【００１９】
請求項６に記載の落とし込み式給湯機は、給水源（Ａ）から給水される水の温度（ｔ２）を計測する水温計測手段（１１）と、
給水源（Ａ）から給水される水を加熱し、湯にする加熱手段（１）と、
湯の温度（ｔ１）を計測する湯温計測手段（１２）と、
加熱手段（１）の下流側に配置され、給湯量（Ｑ１）を計量するための流量計（３）と、
流量計（３）の下流側で分流される一部の湯を浴槽（６）内に湯張りする水栓（５）と、
給水源（Ａ）と、加熱手段（１）と、流量計（３）と、水栓（５）とを、湯が流通可能に接続する給湯配管（４）と、
浴槽（６）内に湯張りされる希望温度（ｔ０）と、浴槽（６）内に湯張りされる希望湯量（Ｑ３）とを設定する設定手段（９３）と、
浴槽（６）内への湯張りが完了した旨を報知する報知手段（９４、９５）と、
水温計測手段（１１）と、湯温計測手段（１２）と、設定手段（９３）と、流量計（３）と、報知手段（９４、９５）と電気的に接続するとともに、浴槽（６）への湯張り完了を判定する制御手段（２）とを有する落とし込み式給湯機であって、
制御手段（２）は、流量計（３）が計量する流量の積算値である給湯量（Ｑ１）が次式
（数１）Ｑ１≧Ｒ
（数２）Ｒ＝（ｔ０−ｔ２）Ｑ３／（ｔ１−ｔ２）
（但し、Ｑ１は給湯量、Ｒは判定値、ｔ０は希望温度、ｔ１は給湯温度、ｔ２は水温、Ｑ３は希望湯量）
を満たした場合に報知手段（９４、９５）にて浴槽（６）内への湯張りが完了した旨を報知することを特徴とする。
【００２０】
この発明により、湯張り完了の判定値Ｒを水温、給湯温度、希望温度、希望湯張り量に応じ、変更するようにしたため、湯と水を混合して湯張りした場合でも湯張り完了の報知ができことが可能となるので、水温の違いによる湯張り完了の報知に関する信頼性を向上させることが可能となる。
【００２１】
請求項７に記載の落とし込み式給湯器における制御手段（２）は、浴槽（６）内への湯張り完了を判定する判定値（Ｒ）を演算する第一の演算手段（ステップＳ１０２）と、
第一の補正値（Ｃ１）を格納する格納手段（２２ａ）とを備え、
第一の演算手段（ステップＳ１０２）は、判定値（Ｒ）を次式
（数３）Ｒ＝（（ｔ０−ｔ２）Ｑ３／（ｔ１−ｔ２））−Ｃ１
（但し、ｔ０は希望温度、ｔ１は給湯温度、ｔ２は水温、Ｑ３は希望湯量、Ｃ１は第一の補正値）
にて求めることを特徴とする。
【００２２】
給湯機によっては、給湯する量に若干のズレが生じることがある。この発明により、その若干のズレを補正することが可能となるので、より正確に湯張り完了を報知するための判定値を求めることが可能となる。
【００２３】
請求項８に記載の落とし込み式給湯器は、給水源（Ａ）から給水される水の温度（ｔ２）を計測する水温計測手段（１１）と、
給水源（Ａ）から給水される水を加熱し、湯にする加熱手段（１）と、
湯の温度（ｔ１）を計測する湯温計測手段（１２）と、
加熱手段（１）の下流側に配置され、給湯量（Ｑ１）を計量するための流量計（３）と、
流量計（３）の下流側で分流される一部の湯を浴槽（６）内に湯張りする水栓（５）と、
給水源（Ａ）と、加熱手段（１）と、流量計（３）と、水栓（５）とを、湯が流通可能に接続する給湯配管（４）と、
浴槽（６）内に湯張りされる希望温度（ｔ０）と、浴槽（６）内に湯張りされる希望湯量（Ｑ３）とを設定する設定手段（９３）と、
浴槽（６）内への湯張りが完了した旨を報知する報知手段（９４、９５）と、
水温計測手段（１１）と、湯温計測手段（１２）と、設定手段（９３）と、流量計（３）と、報知手段（９４、９５）と電気的に接続するとともに、浴槽（６）への湯張り完了を判定する制御手段（２）とを有する落とし込み式給湯機であって、
水栓（５）は、浴槽（６）内に湯張りされる量が希望湯量（Ｑ３）に達すると、自動的に止水する定量止水栓（５）であり、
制御手段（２）は、流量計（３）が計量する流量の積算値である給湯量（Ｑ１）が次式
（数１）Ｑ１≧Ｒ
（数２）Ｒ＝（ｔ０−ｔ２）Ｑ３／（ｔ１−ｔ２）
（但し、Ｑ１は給湯量、Ｒは判定値、ｔ０は希望温度、ｔ１は給湯温度、ｔ２は水温、Ｑ３は希望湯量）
を満たし、かつ、流量計（３）の計量流量がゼロとなった場合に報知手段（９４、９５）にて浴槽（６）内への湯張りが完了した旨を報知することを特徴とする。
【００２４】
この発明により、給湯量が判定値Ｒを超えたと言う第一条件と、流量計（３）が計量する流量がゼロになったと言う第二条件とが満たされて、初めて湯張り完了の報知がなされるので、より正確な湯張り完了の報知を行うことが可能となる。
【００２５】
請求項９に記載の落とし込み式給湯機における制御手段（２）は、浴槽（６）内への湯張り完了を判定する判定値（Ｒ）を演算する第一の演算手段（ステップＳ１０２）と、
第一の補正値（Ｃ１）を格納する格納手段（２２ａ）とを備え、
第一の演算手段（ステップＳ１０２）は、判定値（Ｒ）を次式
（数３）Ｒ＝（（ｔ０−ｔ２）Ｑ３／（ｔ１−ｔ２））−Ｃ１
（但し、ｔ０は希望温度、ｔ１は給湯温度、ｔ２は水温、Ｑ３は希望湯量、Ｃ１は第一の補正値）
にて求めることを特徴とする。
【００２６】
この発明により、第一条件で用いる判定値Ｒを算出するために、給湯機の給湯量の若干のズレを補正する補正値を用いるので、より正確な判定値Ｒを算出することが可能となる。
【００２７】
請求項１０に記載の落とし込み式給湯機は、給水源（Ａ）から給水される水の温度（ｔ２）を計測する水温計測手段（１１）と、
給水源（Ａ）から給水される水を加熱し、湯にする加熱手段（１）と、
湯の温度（ｔ１）を計測する湯温計測手段（１２）と、
加熱手段（１）の下流側に配置され、給湯時間（Ｔｃ）を計量するための流量計（３）と、
流量計（３）の下流側で分流される一部の湯を浴槽（６）内に湯張りする水栓（５）と、
給水源（Ａ）と、加熱手段（１）と、流量計（３）と、水栓（５）とを、湯が流通可能に接続する給湯配管（４）と、
浴槽（６）内に湯張りされる希望温度（ｔ０）と、浴槽（６）内に湯張りされる希望湯量（Ｑ３）とを設定する設定手段（９３）と、
浴槽（６）内への湯張りが完了した旨を報知する報知手段（９４、９５）と、
水温計測手段（１１）と、湯温計測手段（１２）と、設定手段（９３）と、流量計（３）と、報知手段（９４、９５）と電気的に接続するとともに、浴槽（６）への湯張り完了を判定する制御手段（２）とを有する落とし込み式給湯機であって、
制御手段（２）は、給湯時間が次式
（数４）Ｔｃ≧Ｔ
（数５）Ｔ＝（（ｔ０−ｔ２）Ｑ３／（ｔ１−ｔ２））／Ｋ
（但し、ｔ０は希望温度、ｔ１は給湯温度、ｔ２は水温、Ｑ３は希望湯量、Ｋは基準流量）
を満たした場合に報知手段（９４、９５）にて浴槽（６）内への湯張りが完了した旨を報知することを特徴とする。
ここで、基準流量（Ｋ）は、浴槽（６）へ湯張りする場合の標準的な流量である。
【００２８】
従来は、水栓（５）で湯と水を混合した場合、お湯張りを完了したことを報知するためには、両方を計量し、その合計量が所定量に達したかどうかを判断しなければならなかったが、この発明により、供給するお湯の量のみを計量すれば良いので、簡易に判定時間Ｔを求めることが可能となる。
【００２９】
請求項１１に記載の落とし込み式給湯機における制御手段（２）は、浴槽（６）内への湯張り完了を判定する判定時間（Ｔ）を演算する第二の演算手段（ステップＳ１１２）と、
第二の補正値（Ｃ２）を格納する格納手段（２２ａ）とを備え、
第二の演算手段（ステップＳ１１２）は、判定時間（Ｔ）を次式
（数６）Ｔ＝（（ｔ０−ｔ２）Ｑ３／（ｔ１−ｔ２））／Ｋ−Ｃ２
（但し、ｔ０は希望温度、ｔ１は給湯温度、ｔ２は水温、Ｑ３は希望湯量、Ｋは基準流量、Ｃ２は第二の補正値）
にて求めることを特徴とする。
【００３０】
この発明により、第一条件で用いる判定時間Ｔを算出するために、給湯機の給湯時間の若干のズレを補正する補正値を用いるので、より正確な判定値Ｒを算出することが可能となる。
【００３１】
請求項１２に記載の落とし込み式給湯機は、給水源（Ａ）から給水される水の温度（ｔ２）を計測する水温計測手段（１１）と、
給水源（Ａ）から給水される水を加熱し、湯にする加熱手段（１）と、
湯の温度（ｔ１）を計測する湯温計測手段（１２）と、
加熱手段（１）の下流側に配置され、浴槽（６）への給湯時間（Ｔｃ）を計量するための流量計（３）と、
流量計（３）の下流側で分流される一部の湯を浴槽（６）内に湯張りする水栓（５）と、
給水源（Ａ）と、加熱手段（１）と、流量計（３）と、水栓（５）とを、湯が流通可能に接続する給湯配管（４）と、
浴槽（６）内に湯張りされる希望温度（ｔ０）と、浴槽（６）内に湯張りされる希望湯量（Ｑ３）とを設定する設定手段（９３）と、
浴槽（６）内への湯張りが完了した旨を報知する報知手段（９４、９５）と、
水温計測手段（１１）と、湯温計測手段（１２）と、設定手段（９３）と、流量計（３）と、報知手段（９４、９５）と電気的に接続するとともに、浴槽（６）への湯張り完了を判定する制御手段（２）とを有する落とし込み式給湯機であって、
水栓（５）は、浴槽（６）内に湯張りされる量が希望湯量（Ｑ３）に達すると、自動的に止水する定量止水栓（５）であり、
制御手段（２）は、給湯時間が次式
（数４）Ｔｃ≧Ｔ
（数５）Ｔ＝（（ｔ０−ｔ２）Ｑ３／（ｔ１−ｔ２））／Ｋ
を満たし、かつ、流量計（３）の計量流量がゼロとなった場合に報知手段（９４、９５）にて浴槽（６）内への湯張りが完了した旨を報知することを特徴とする。
【００３２】
この発明により、給湯時間が判定時間Ｔを超えたと言う第一条件と、流量計（３）が計量する流量がゼロになったと言う第二条件とが満たされて、初めて湯張り完了の報知がなされるので、より正確な湯張り完了の報知を行うことが可能となる。
【００３３】
請求項１３に記載の落とし込み式給湯機における制御手段（２）は、浴槽（６）内への湯張り完了を判定する判定時間（Ｔ）を演算する第二の演算手段（ステップＳ１１２）と、
第二の補正値（Ｃ２）を格納する格納手段（２２ａ）とを備え、
第二の演算手段（ステップＳ１１２）は、判定時間（Ｔ）を次式
（数６）Ｔ＝（（（ｔ０−ｔ２）Ｑ３／（ｔ１−ｔ２））／Ｋ）−Ｃ２
にて求めることを特徴とする。
【００３４】
給湯機によっては、給湯する時間に若干のズレが生じることがある。この発明により、その若干のズレを補正することが可能となるので、より正確に湯張り完了を報知するための判定時間Ｔを求めることが可能となる。
【００３５】
請求項１４に記載の落としこみ式給湯機における水栓（５）は、浴槽（６）内に湯張りされる時間が所定時間に達すると、自動的に止水する定時間止水栓であることを特徴とする。
【００３６】
この発明により、定量止水栓の場合は水栓内に流量手段が必要だが、定時間止水栓の場合は、水が流れているか流れていないかだけを検知すれば良いと言う簡易な構成なので、当該落とし込み式給湯機を簡易で安価に構成することが可能となる。
【発明を実施するための最良の形態】
【００３７】
（第一実施形態）
以下、本発明の第一実施形態について図１〜図５を用いて説明する。図１は、本実施形態に係る落とし込み式給湯機１００を用いた給湯システム全体の概略を示した構成図である。図２は、図１の２に示した制御装置の内部の構成の概略を示した構成図である。図３は、図１の９に示したリモコンの内部の構成の概略を示した構成図である。図４は、図１の５に示した定量止水栓の内部の構成の概略を示した構成図である。図５は、図１に示した制御装置２の湯張り制御の内容を示したフローチャートである。
【００３８】
図１の１は、水道管２００からの水道水に熱を加えて湯にする周知の加熱用熱交換器である。主として、図示しない断面が扁平型の細長いチューブを積層し、そのチューブ内に水道管２００から流入する水道水を流通させ、チューブの外側を加熱する事で、チューブ内を流通する水道水を加熱し、徐々に湯にすると言う装置である。この加熱用熱交換器１は請求項で示す加熱手段に相当する。
【００３９】
図１の２は、制御装置である。制御装置２は、上述した加熱用熱交換器１と、後述する流量計３と、リモコン９と電気的に接続している。制御装置２の内部の詳細な構成とその作動は図３を用いて後述する。また、この制御装置２は請求項で示す制御手段に相当する。
【００４０】
図１の３は、流量計である。流量計３は、上述した加熱用熱交換器１と、後述する定量止水栓５とを接続する後述する給湯配管４内を流通する湯の単位時間あたりの量を計量し、制御装置２に伝達する計量手段である。
【００４１】
一般的に、流量を計量する装置としては、具体的に可動ベーン式流量計測装置、熱線式流量計測装置、カルマン渦式流量計測装置、超音波式流量計測装置、電磁式流量計測装置、差圧式流量計測装置、回転式流量計測装置などがあるが、本発明では、特に流量計の種類は問わない。
【００４２】
ちなみにこの流量計３は請求項で示す第一の流量計に相当する。
【００４３】
図１の４は、上述した加熱用熱交換器１と、流量計３と、後述する定量止水栓５とを、湯が流通可能に接続する周知の給湯配管である。
【００４４】
図１の５は、後述する浴槽６に予め定められた量の湯を落とし込むと共に、自動的に止水する周知の定量止水栓５である。定量止水栓５の内部の詳細な構成は図４を用いて後述する。
【００４５】
図１の６は周知の浴槽である。
【００４６】
図１の７は、台所用水栓であり、給湯配管４から分岐して接続されている。
【００４７】
図１の８は、上述した制御装置２と、後述するリモコン９とを接続する接続線である。
【００４８】
図１の９は、主として台所などに設けられる給湯操作用のリモコン９である。リモコン９の詳細な構成とその作動は図３を用いて後述する。
【００４９】
以上が本発明の落とし込み式給湯機１００を用いた給湯システム全体の主要な構成要素である。
【００５０】
次に、各構成要素を具体的に図を用いて詳述する。
【００５１】
図２の２は制御装置である。制御装置２は、加熱用熱交換器１用入出力回路２１と、マイコン２２と、リモコン９用入出力回路２３と、流量計３用入力回路２４とからなる。
【００５２】
加熱用熱交換器１用入出力回路２１は、加熱用熱交換器１と、後述するマイコン２２との間に設けられ、マイコン２２からの制御信号に基づき加熱用熱交換器１内に設けられた図示しないバルブ等を駆動するための制御信号を出力するとともに、加熱用熱交換器１内の図示しない制御手段から送信されてくるフィードバック信号（主として現時点での水温）を受信し、マイコン２２が読み込める制御信号へと変換し、伝達する入出力手段である。
【００５３】
マイコン２２は、図示しないＣＰＵ、ＲＡＭ、ＲＯＭなどからなり、上述した加熱用熱交換器１用入出力回路２１と、後述するリモコン９用入出力回路２３、そして、流量計３用入力回路２４などと接続し、リモコン９から送信される操作信号と、流量計３から送信される流量情報と、加熱用熱交換器１から送信されるフィードバック信号とを受信し、給湯配管４への給湯を制御を演算する演算手段である。
【００５４】
リモコン９用入出力回路２３は、上述したリモコン９から送信される操作信号を受信し、マイコン２２が読み込める操作信号に変換するとともに、マイコン２２へ伝達し、かつ、マイコン２２からリモコン９へ送信される報知信号をリモコン９の後述する入出力部９１が読み込める報知信号に変換し、送信する入出力手段である。
【００５５】
流量計３用入力回路２４は、流量計３からの流量信号を受信し、マイコン２２が読み込める流量信号に変換するとともに、マイコン２２に伝達する入出力手段である。
【００５６】
次に、リモコン９の内部の詳細を図３を用いて説明する。
【００５７】
リモコン９は、制御部２用入出力回路９１と、マイコン９２と、スイッチ部９３と、表示器９４と、スピーカー９５とから構成されている。
【００５８】
制御部２用入出力回路９１は、上述した制御装置２からの報知信号を受信し、マイコン９２に伝達するとともに、マイコン９２からの操作信号を制御装置２のリモコン９用入出力回路２３が読み込める操作信号に変換し、伝達する入出力手段である。
【００５９】
マイコン９２は、マイコン２２と同じような構成で、ＣＰＵ、ＲＡＭ、ＲＯＭなどからなり、上述した制御部２用入出力回路９１と、スイッチ部９３と、表示器９４と、スピーカー９５と接続し、スイッチ部９３からの操作信号を受信するとともに、制御部２用入出力回路９１から伝達された報知信号を、表示器９４と、スピーカー９５とに出力する演算装置である。
【００６０】
次に定量止水栓５の詳細を図４を用いて説明する。
【００６１】
定量止水栓５は、図４に示すように通湯路５０と、湯水混合手段５１と、湯水混合率調節ハンドル５２と、流量調節手段５３と、流量調節ハンドル５４と、流量計５５と、制御部５６と、弁体５７と、吐水口５８と、スイッチ手段５９とから構成される。
【００６２】
湯水混合手段５１は、給水管２０１と給湯配管４とが接続され、内部にサーモワックスなどの感温体が収容されたサーモスタットからなる弁体（図示せず）、後述する湯水混合率調節ハンドル５２の回転角を往復動に変換する回転／往復変換部材（図示せず）、および湯水混合率調節ハンドル５２から構成され、この湯水混合率調節ハンドル５２を回転させることで、混合水を所望する温度に設定できるようにしている。
【００６３】
これにより、給水管２０１および給湯配管４から流入した水と湯とが所望する温度となるよう混合される。また流量調節手段５３には、流量調節ハンドル５４が設けられ、この流量調節ハンドル５４を回転させることで流量調節手段５３による混合水の流量を調節できるようになっている。
【００６４】
流量計５５は、上述した流量計３と同様の構成で、流量調節手段５３により調節された混合水の流量を計量し、その計量情報を後述する制御部５６に伝達している。
【００６５】
制御部５６は、流量計５５と弁体５７およびスイッチ手段５９と電気的に接続され、スイッチ手段５９のオン信号に基づいて、弁体５７の開閉動作を行うように制御すると共に、内部には図示しない記憶手段を備えており、この記憶手段に格納する予め定められた量と、流量計５５からの計量流量を積算した値とを比較し、流量計５５からの計量流量の積算値が、記憶手段に格納される予め定められた量に到達すれば、後述する弁体５７を閉弁するよう制御する。ちなみにこの制御部５６は請求項で示す第二の制御手段に相当する。
【００６６】
弁体５７は、制御部５６と接続し、制御部５６からの制御によって、通湯路５０内を流通する湯の開閉を行っている。この弁体５７は請求項で示す開閉手段に相当する。
【００６７】
吐水口５８は、弁体５７が開口する事で通湯路５０内を流通する湯を、浴槽６に落とし込む開口部である。
【００６８】
上述した構成の定量止水栓５を適用した落とし込み式給湯機１００による、信頼性の高い湯張り完了の報知をなす作動を図５を用いて説明する。
【００６９】
まず、ステップＳ１にて制御装置２は、流量計３から流量情報の有無を検知する。（すなわち、給水配管４に湯が流通しているか否かを検知する）
ステップＳ１にて、流量情報の存在が検知されると、ステップＳ２に進み、検知されなければステップＳ３に進み、カウントされた流量値（流量計３により計量された流量の積算値）をクリアする。
【００７０】
検知されない状態が続くとステップＳ１とステップＳ３との処理内容を閉ループ的に循環する。
【００７１】
ステップＳ２にて、流量計３から伝達された流量情報をカウントする。（すなわち給湯配管４内を流通した流量を積算する）カウントが開始されると、ステップＳ４に進む。
【００７２】
ステップＳ４にて、制御装置２を構成する図示しない内部のＲＯＭに格納されている、ユーザーが浴槽６を概略満水（満水よりも若干少なめ）状態にする時の設定値と、ステップＳ２にてカウントされた流量値とを比較する。
【００７３】
この設定値は、通常の浴槽６の容量に対して、約１００Ｌ（リットル）〜２００Ｌ程度に設定されている事が望ましい。
【００７４】
何故なら、一般的な家庭での給湯場所での給湯で、連続して１００Ｌ以上使用し続ける給湯場所は、風呂場（すなわち浴槽６）以外には考えにくいからである。
【００７５】
このステップＳ４の処理内容は請求項で示す第一の判定手段に相当する。
【００７６】
もし、カウントされている流量値が設定値（すなわち浴槽６の概略満水値）に達すれば、ステップＳ５に進む。達しなければ、ステップＳ１に戻る。
【００７７】
このステップＳ１とステップＳ５との閉ループにより、浴槽６以外へ給湯しているのか否かを判断する事が可能となる。
【００７８】
なぜなら、通常、一般的な家庭で、長時間、給湯する必要がある給湯場所は風呂場（浴槽６）である事が多い。台所、洗面所などでも当然給湯するが、浴槽６に湯を張る程の湯量を給湯する事は考えにくい。
【００７９】
つまり、一時的に台所や洗面所などで給湯したとしても、流量計３にて計量される計量流量の積算値が、浴槽６の満水値に達しなければ、その給湯は浴槽６へ湯を張っている給湯ではない事が分かる。
【００８０】
逆に、所定以上の湯量（この場合１００Ｌ以上２００Ｌ以下）を連続して給湯し続けていた場合は、浴槽６への給湯である可能性が高いので、浴槽６へ給湯している事が判別出来る。
【００８１】
ステップＳ４にて、カウントされた流量値が、設定値（浴槽６の概略満水値）に達した場合は、ステップＳ５に進む。
【００８２】
ステップＳ５にて、流量計３からの流量情報の有無を検知する。この処理内容は、ステップＳ１と同じ内容である。
【００８３】
ステップＳ５にて、もし、流量計３からの流量情報が検知された場合は、ステップＳ５の処理内容を閉ループ的に循環する。
【００８４】
もし、流量計３からの流量信号が検知されなかった場合は、ステップＳ６に進む。
【００８５】
何故、このタイミングで（すなわちステップＳ５で）再度、流量計３からの流量情報の有無を検知するのかを以下に説明する。
【００８６】
流量計３の下流側には定量止水栓５のみが存在している訳ではなく、流量計３と、定量止水栓５との間で、例えば台所や洗面所へも湯を給湯する為に、給湯配管４は分岐している。
【００８７】
その為、流量計３は、定量止水栓５による浴槽６への給湯流量だけではなく、浴槽６、台所、洗面所その他、給湯されている全ての湯の総給湯流量を計量している。
【００８８】
しかし、制御装置２に格納される設定値は、浴槽６に対する設定値なので、もし、定量止水栓５による浴槽６への給湯量と、台所への給湯量と、洗面所への給湯量との総計が、制御装置２に格納される浴槽６の設定量に達すれば、浴槽６が満水状態になった、つまり「浴槽６に湯が張られた」と言う旨の報知をリモコン９を構成する表示器９４またはスピーカー９５に対して出力してしまう。
【００８９】
しかし、実状は、浴槽６、台所、洗面所などの個別の給湯量の総量が、たまたま浴槽６の設定量に到達しただけなので、本当に浴槽６が満水状態、すなわち湯が張られ終わった状態なのか否かは分からない。
【００９０】
また、定量止水栓５は、制御装置２や流量計３とは独立して流量を計量しながら給湯しているので、流量計３にて計量した総給湯量が、浴槽６の設定量になり、その事に対応して制御装置２がリモコン９に、浴槽６に湯が張られた旨を報知しても、まだ定量止水栓５は、浴槽６に対し、設定量に達する為に給湯し続けている。
【００９１】
すなわち、報知内容と、実際の給湯動作とで不一致が発生する可能性がある。（すなわち報知内容に信頼性がない）
その為、ステップＳ５の処理内容により、浴槽６、台所、洗面所など、湯を給湯する場所への給湯作動が全て停止し、流量計３が流量情報を出力しない、または流量情報が０（ゼロ）である事を制御装置２によって検知し、完全に全ての給湯場所（浴槽６、台所、洗面所など）での給湯が停止した事を確認した後に、ステップＳ６に進む（すなわち、浴槽６に湯が張られた事を報知する）必要がある。
【００９２】
ステップＳ５にて、流量計３から制御装置２へ流量情報が出力されて来ない（または流量情報が、０（ゼロ）と言う情報が出力される）と判定すると、ステップＳ６に進む。（このステップＳ５の処理内容は、請求項で示す第二の判定手段に相当する。）
これは、すなわち定量止水栓５による給湯作動も停止し、浴槽６は定量止水栓５によって確実に満水状態になっている事を示している。
【００９３】
そして、ステップＳ６にて、制御装置２からリモコン９へ湯張り完了の報知信号を出力する。
【００９４】
流量計３からの流量情報がない、または計量される流量が０（ゼロ）であると言う事は第二の判定手段によって流量計３から流量情報が制御装置２に伝達されていないと言う事を示している。
【００９５】
この事は、すなわち定量止水栓５による浴槽６への給湯も完了していると言う事なので、ステップＳ６による湯張り完了の報知の信頼性は常に高いものになる。
【００９６】
上述した構成と作動とにより、信頼性の高い湯張り完了の報知をなす定量止水栓５を適用した落とし込み式給湯機１００を提供する事が可能となる。
【００９７】
（第二実施形態）
上述した第一実施形態では、流量計３が計量するのは給湯流量であり、その、計量した給湯流量の積算値と予め設定した浴槽６が概略満水状態に至る設定湯量とを制御装置２にて比較するものであったが、比較するのは、給湯量ではなく、給湯時間であっても第一実施形態で示した効果と同様の効果を得ることが可能である。
【００９８】
図６に、給湯時間を比較する事で、信頼性の高い湯張り完了の報知を行う制御に関するフローチャートを示す。
【００９９】
ステップＳ１は、第一実施形態にて示した処理内容と同じである。
【０１００】
しかし、流量計３から制御装置２へ流量信号が伝達されると、ステップＳ１２に進む。
【０１０１】
伝達されないと、ステップＳ１３に進み、カウント時間をクリアし、ステップＳ１に戻る。
【０１０２】
ステップＳ１２にて、給湯時間をカウントすると、ステップＳ１４にて、給湯カウント時間が、制御装置２を構成する図示しないＲＯＭ等に予め格納される浴槽６が概略満水状態に至るまでに掛かる時間と比較する。
【０１０３】
もし、カウント時間が、浴槽６が概略満水状態に至るまでに掛かる時間に到達すれば、ステップＳ５に進む。
【０１０４】
ステップＳ５の処理内容は、第一実施形態で示した処理内容と同じだが、流量計３からの流量信号が伝達されない、または０（ゼロ）と伝達された場合には、ステップＳ６に進む。
【０１０５】
何らかの流量情報が伝達されている間は、ステップＳ１とステップＳ５にて閉ループ処理を続ける。
【０１０６】
ステップＳ６も、第一実施形態に示した処理内容と同じなのでここでは割愛する。
【０１０７】
上述したように、給湯量ではなく給湯時間を用いても、信頼性の高い湯張り完了に関する報知を行う事が可能となる。
【０１０８】
（第三実施形態）
第一実施形態、第二実施形態では、流量計３の計量流量が０（ゼロ）になったことをもって制御部２は湯張り完了と判断するものであった。
【０１０９】
しかし、流量計３の下流側では、給湯配管４は、浴槽６へ給湯する水栓５と、台所へ給湯する台所用水栓７とに分岐している。
【０１１０】
この為、例えばユーザーが、台所用水栓７と、定量止水栓５と両方から給湯している場合であり、浴槽６への給湯は既に完了（つまり湯張りは終わっている）している状態だが、台所用水栓７からは未だに給湯されている場合だと、流量計３による計量では、計量流量が０（ゼロ）にはならない。
【０１１１】
この為、台所用水栓７からの給湯が終わらない限り、制御部２は報知手段９４、９５へ浴槽６への湯張りが完了した旨を報知しない可能性がある。
【０１１２】
この為、湯張り完了時に定量止水栓５内に備えられた弁体５７が、特定のパターンにて開閉作動するように制御し、これに伴う流量変化を流量計３が検出し、制御部２に伝達したとき、制御部２は湯張りが完了したと判断し、報知手段９４、９５に対し、湯張り完了の報知をするようにしてもよい。
【０１１３】
上述した作動を詳述する為に、図７に弁体５７の動作タイムチャートを示す。図７は、図７（ａ）、図７（ｂ）、図７（ｃ）からなる。
【０１１４】
図７（ａ）は、弁体５７の開閉動作を示すタイムチャートである。図４に示す定量止水栓５のスイッチ手段５９がオンされ、これにより、制御部５６が弁体５７を開弁する事により、湯張りが開始される。
【０１１５】
そして、定量止水栓５に内蔵される流量計５５の計量流量の積算値（湯張り量）が、定量止水栓５の制御部５６が保持する設定値に達した時、制御部５６は、湯張り完了を伝えるため、ｔｓ秒間だけ弁体５７を閉弁し、次にｔｏ秒間だけ弁体５７を開弁すると言う開閉動作を所定回数、（ここでは３回）繰り返す。
【０１１６】
図７（ｂ）は、図１に示す台所水栓７の開閉動作を示したものである。
【０１１７】
図７（ｃ）は、図１に示す定量止水栓５と台所水栓７が、それぞれ図７（ａ）、図７（ｂ）の開閉動作をした時の、流量計３による計量流量の変化を表したものであり、この流量変化の内、ｔｓ秒間の流量減、ｔｏ秒間の流量増を、流量計３を介して制御手段２が、３回検出したとき湯張り完了と判断し、報知手段（９４，９５）を作動させるものである。
【０１１８】
図８は、本実施形態における定量止水栓５の作動内容（図７の（ａ）の作動内容）を示したフローチャートである。
【０１１９】
ステップＳ２１にて、定量止水栓５のスイッチ手段５９がオンされたか否か判断し、オンされていなければ、再びステップＳ２１に戻り同様の判断を行う。
【０１２０】
ステップＳ２１にて、スイッチ手段５９がオンされていれば、ステップＳ２２に進む。
【０１２１】
このステップＳ２２で、弁体５７を開弁する事により湯張りが開始される。弁体５７が開弁すると、ステップＳ２３に進む。
【０１２２】
ステップＳ２３では、流量計５５により計量した計量流量を制御部５６で積算し、積算値（湯張り量）を求める演算が開始される。この演算が開始されると、ステップＳ２４に進む。
【０１２３】
ステップＳ２４では、ステップＳ２３で求めた積算値が設定湯張り量に到達したか否か判断し、到達していなければ、ステップＳ２５に進む。到達していれば、ステップＳ２６に進む。
【０１２４】
ステップＳ２６では、ｔｓ秒間、弁体５７を閉弁する。閉弁するとステップＳ２７に進む。
【０１２５】
ステップＳ２７では、ｔｏ秒間、弁体５７を開弁する。開弁すると、ステップＳ２８に進む。
【０１２６】
これ以降ステップＳ２８からステップＳ３１まで、ステップＳ２６とステップＳ２７との処理内容と同様の処理内容、すなわち、弁体５７の閉弁／開弁動作をステップＳ２９、ステップＳ３０、ステップＳ３１と繰り返す。ステップＳ３１にて、ｔｏ秒間、弁体５７を開弁する。開弁すると、ステップＳ３２に進む。
【０１２７】
ステップＳ３２にて、最終的に弁体５７を閉弁する。閉弁すると、ステップＳ３３に進む。
【０１２８】
ステップＳ３３にて、制御部５６において求めた積算値をクリアして一連の動作を終了する。
【０１２９】
また、ステップＳ２４にて、積算値が設定値に到達せず、ステップＳ２５に進んだ場合、ステップＳ２５にて、ステップＳ２１と同様にスイッチ手段５９がオンされたか否か判断し、オンされていなければ、ステップＳ２３に戻り、流量の積算を継続する。
【０１３０】
逆に、スイッチ手段５９がオンされていれば、ステップＳ３２に進み、弁体５７を閉弁し、湯張りを終了する。
【０１３１】
また、上述した弁体５７の、特定の開閉パターン（短時間内で開閉を所定回数繰り返す）による給湯配管４内の流量変化を検知した流量計３からの信号を受信した制御部２における作動を図９に示す。
【０１３２】
図９は、本実施形態における制御装置２の動作フローチャートを示したものであり、流量計３が計測する流量（図７の（ｃ））の変化を検出し、制御するものである。
【０１３３】
ステップＳ４１にて、ｔｓ秒間、流量が減少したか否かを判断し、流量の減少がなければ、ステップＳ４３に移り、Ｎ１（増減回数の記憶値）をクリア（ゼロに）し、再びステップＳ４１に戻る。
【０１３４】
ステップＳ４１にて、ｔｓ秒間流量減少があったと判断した場合は、ステップＳ４２に進み、ｔｏ秒間、流量が増大したか否かを判断する。
【０１３５】
ここで、ｔｏ秒間の流量増大がなければ、ステップＳ４３に進み、Ｎ１をクリアし、再びステップＳ４１に戻る。
【０１３６】
しかし、流量の増大があれば、ステップＳ４４に進み、増減回数（Ｎ１）に１を加算する。
【０１３７】
次に、ステップＳ４５に進み、増減回数（Ｎ１）が、３回に達したか否か判断し、達していなければ、再びステップＳ４１からステップ４５までを実行し、増減回数（Ｎ１）が３回に達すれば、定量止水栓５が、湯張りを完了したものと判断し、ステップＳ４６に進む。
【０１３８】
このステップＳ４５は、請求項で示す第三の比較判定手段に相当する。
【０１３９】
ステップＳ４６にて、制御装置２は、リモコン９の報知手段（９４，９５）により湯張り完了報知を行い、最後にステップＳ４７にて増減回数（Ｎ１）をクリアする。
【０１４０】
上述した作動により、台所用水栓７と定量止水栓５との両方から給湯している状況下で、定量止水栓５からの給湯が完了（つまり浴槽６への湯張りが完了）した場合でも、台所用水栓７からの給湯が終わる事を待つ事なく、タイムリーに浴槽６への湯張りが完了した事を報知する事が可能となる。
【０１４１】
また、上述した作動にする事で、定量止水栓５が給湯を完了した事を、給湯配管４内の湯を媒介して制御装置２へ伝達する事が可能となる為、定量止水栓５から制御装置２への電気的配線を省略する事が可能となるので、落とし込み式給湯機１００のコストを低減させる事が可能となる。
【０１４２】
尚、第三実施形態においては、定量止水栓５の開閉動作は３回としたが、必ずしも３回とする必要はなく、給湯システムの信頼性に応じ任意に設定すればよい。また制御部２の流量変化の検出回数も３回としたが、必ずしも弁体５７の開閉動作回数と同じ数とする必要はなく、制御部２の流量変化の検出回数は、弁体５７の開閉動作回数以内の数であれば任意に設定してもよい。
【０１４３】
（第四実施形態）
上述した第三実施形態では、定量止水栓５は、流量計５５にて流量を計測し、その計量流量の積算値が設定値に達した時、弁体５７が開閉動作をするようにしていたが、給湯量を計測するのではなく、給湯時間を計測し、その計測時間が設定時間に達した時、弁体５７を特定の開閉パターンにて開閉動作するようにしても良い。
【０１４４】
図１０に、本実施形態で示す定時間止水栓５の作動を示すフローチャートを示す。
【０１４５】
ステップＳ２１、ステップＳ２２は、第三実施形態の図８に示した処理内容と同様の処理内容なので説明を省略する。
【０１４６】
ステップＳ２２で弁体５７が開弁されると、ステップＳ６３に進み、給湯時間のをカウントを開始する。開始されるとステップＳ６４に進む。
【０１４７】
ステップＳ６４にて、カウントした給湯時間が、設定時間（浴槽６を満水にするのに要する時間）に達したか否か判断し、達していなければ、ステップＳ２５に進む。達していれば、ステップＳ２６に進む。
【０１４８】
ステップＳ２６〜ステップＳ３２までは、図８と同様の処理内容なので説明は省略する。ステップＳ３２にて弁体５７が閉弁されると、ステップＳ６５に進む。
【０１４９】
ステップＳ６５にて、カウントしていた給湯時間をクリアする。ここで設定時間（浴槽６を満水にするのに要する時間）は、制御部５６を構成する図示しない記憶媒体に予め記憶させたものである。
【０１５０】
ステップＳ２５では、スイッチ手段５９がオンされたか否か判断し、オンされていれば、ステップＳ３２に進み、弁体５７を閉じ（湯張り中断処理）を行い、オンされていなければ、ステップＳ６３に戻り、給湯時間のカウントを継続する。
【０１５１】
上述した作動内容にする事によっても、台所用水栓７と定量止水栓５との両方から給湯している状況下で、定量止水栓５からの給湯が完了（つまり浴槽６への湯張りが完了）した場合でも、台所用水栓７からの給湯が終わる事を待つ事なく、タイムリーに浴槽６への湯張りが完了した事を報知する事が可能となる。
【０１５２】
尚、本実施形態の定量止水栓５においては、流量を計測しないのであるから、図４に示す定量止水栓の構成から流量計５５を削除したものでも良い。削除する事によって、落とし込み式給湯機１００のコストを更に低減する事が可能となる。
【０１５３】
（第五実施形態）
以下、本発明の第五実施形態について図１１〜図１５を用いて説明する。
【０１５４】
図１１は、本実施形態に係る落とし込み式給湯機１００を用いた給湯システム全体の概略を示した構成図である。
【０１５５】
図１２は、図１１の２に示した制御装置の内部の構成の概略を示した構成図である。
【０１５６】
図１３は、図１の９に示したリモコンの概略の正面図である。
【０１５７】
図１４は、図１１の５に示した定量止水栓の内部の構成の概略を示した構成図である。
【０１５８】
図１５は、図１に示した制御装置２の湯張り制御の内容を示したフローチャートである。
【０１５９】
（構成）
図１１の１は、水道管２００からの水道水に熱を加えて湯にする周知の加熱用熱交換器である。主として、図示しない断面が扁平型の細長いチューブを積層し、そのチューブ内に水道管２００から流入する水道水を流通させ、チューブの外側を加熱する事で、チューブ内を流通する水道水を加熱し、徐々に湯にすると言う装置である。この加熱用熱交換器１は請求項で示す加熱手段に相当する。
【０１６０】
図１１の２は、制御装置である。制御装置２は、上述した加熱用熱交換器１と、後述する流量計３と、リモコン９、水温センサ１１、湯温センサ１２、と電気的に接続している。制御装置２の内部の詳細な構成は図１３を用いて後述する。また、この制御装置２は請求項で示す制御手段に相当する。
【０１６１】
図１１の３は、流量計である。流量計３は、上述した加熱用熱交換器１と、後述する定量止水栓５とを接続する後述する給湯配管４内を流通する湯の単位時間あたりの量を計量し、制御装置２に伝達する計量手段である。
【０１６２】
ちなみにこの流量計３は請求項で示す第一の流量計に相当する。
【０１６３】
図１１の４は、上述した加熱用熱交換器１と、流量計３と、後述する定量止水栓５とを、湯が流通可能に接続する周知の給湯配管である。
【０１６４】
図１１の５は、後述する浴槽６に予め定められた量の湯を落とし込むと共に、自動的に止水する周知の定量止水栓５である。定量止水栓５の内部の詳細な構成は図４を用いて後述する。
【０１６５】
図１１の６は周知の浴槽である。
【０１６６】
図１１の７は、台所用水栓であり、給湯配管４から分岐して接続されている。
【０１６７】
図１１の８は、上述した制御装置２と、後述するリモコン９とを接続する接続線である。
【０１６８】
図１１の９は、主として台所などに設けられる給湯操作用のリモコン９である。
【０１６９】
図１１の１１は、水温センサである。給水源Ａから給水される水の温度ｔ２を計測し、上述した制御装置２へ送信する温度計測手段である。
【０１７０】
図１１の１２は、湯温センサである。加熱用熱交換器１が加熱したお湯の湯温ｔ１を計測し、上述した制御装置２へ送信する温度計測手段である。
【０１７１】
以上が本発明の落とし込み式給湯機１００を用いた給湯システム全体の主要な構成要素である。
【０１７２】
次に、各構成要素を具体的に図を用いて詳述する。
【０１７３】
図１２の２は上述したように制御装置である。制御装置２は、加熱用熱交換器１用入出力回路２１と、マイコン２２と、メモリ２２ａと、リモコン９用入出力回路２３と、流量計３用入力回路２４と、水温センサ１１用入力回路２５と、湯温センサ１２用入力回路２６とからなる。
【０１７４】
加熱用熱交換器１用入出力回路２１は、加熱用熱交換器１と、後述するマイコン２２との間に設けられ、マイコン２２からの制御信号に基づき加熱用熱交換器１内に設けられた図示しないバルブ等を駆動するための制御信号を出力するとともに、加熱用熱交換器１内の図示しない制御手段から送信されてくるフィードバック信号を受信し、マイコン２２が読み込める制御信号へと変換し、伝達する入出力手段である。
【０１７５】
マイコン２２は、図示しないＣＰＵ、ＲＡＭ、ＲＯＭなどからなり、上述した加熱用熱交換器１用入出力回路２１と、後述するリモコン９用入出力回路２３、そして、流量計３用入力回路２４などと接続し、リモコン９から送信される操作信号と、流量計３から送信される流量情報と、加熱用熱交換器１から送信されるフィードバック信号とを受信し、給湯配管４への給湯を制御内容を演算する演算手段である。
【０１７６】
メモリ２２ａは、マイコン２２を構成する複数の記憶手段のうちの１つであり、ＲＡＭまたはＲＯＭなどから構成される。
【０１７７】
このメモリ２２ａには、後述する第一、第二の補正値Ｃ１、Ｃ２や、基準流量Ｋなどが格納されている。
【０１７８】
リモコン９用入出力回路２３は、上述したリモコン９から送信される操作信号を受信し、マイコン２２が読み込める操作信号に変換するとともに、マイコン２２へ伝達し、かつ、マイコン２２からリモコン９へ送信される報知信号をリモコン９の後述する入出力部９１が読み込める報知信号に変換し、送信する入出力手段である。
【０１７９】
流量計３用入力回路２４は、流量計３からの流量信号を受信し、マイコン２２が読み込める流量信号に変換するとともに、マイコン２２に伝達する入出力手段である。
【０１８０】
水温センサ１１用入力回路２５は、水温センサ１１からの水温信号を受信し、マイコン２２が読み込める水温信号に変換するとともに、マイコン２２に伝達する入出手段である。
【０１８１】
湯温センサ１２用入力回路２６は、湯温センサ１２からの湯温信号を受信し、マイコン２２が読み込める湯温信号に変換するとともに、マイコン２２に伝達する入出手段である。
【０１８２】
リモコン９は、上述の図３で示した構成と同等なので説明を省略し、リモコン９の概略の正面図を図１３に示す。
【０１８３】
図１３の正面図で示される構成要素は表示器９４と、スピーカー９５と、上述したスイッチ部９３を構成する湯張り量設定ボタン９３ａと、湯温設定ボタン９３ｂと、上昇ボタン９３ｃと下降ボタン９３ｄと、確定ボタン９３ｅである。
【０１８４】
浴槽６に湯張りする湯量Ｑ３は、湯張り量設定ボタン９３ａと、上昇ボタン９３ｃ、または下降ボタン９３ｄと、確定ボタン９３ｅにて設定する。
【０１８５】
また、浴槽６に湯張りするお湯の温度ｔ０は、湯温設定ボタン９３ｂと、上昇ボタン９３ｃ、または下降ボタン９３ｄと、確定ボタン９３ｅにて設定する。
【０１８６】
次に定量止水栓５の詳細を図１４を用いて説明する。
【０１８７】
定量止水栓５は、図１４に示すように通湯路５０と、湯水混合手段５１と、湯水混合率調節ハンドル５２と、流量調節手段５３と、流量調節ハンドル５４と、流量計５５と、制御部５６と、弁体５７と、吐水口５８と、スイッチ手段５９と、湯温センサ６１と、表示器６２とから構成される。
【０１８８】
湯水混合手段５１は、給水管２０１と給湯配管４とが接続され、内部にサーモワックスなどの感温体が収容されたサーモスタットからなる弁体（図示せず）、後述する湯水混合率調節ハンドル５２の回転角を往復動に変換する回転／往復変換部材（図示せず）、および湯水混合率調節ハンドル５２から構成され、この湯水混合率調節ハンドル５２を回転させることで、混合水を所望する温度に設定できるようにしている。
【０１８９】
これにより、給水管２０１および給湯配管４から流入した水と湯とが所望する温度となるよう混合される。また流量調節手段５３には、流量調節ハンドル５４が設けられ、この流量調節ハンドル５４を回転させることで流量調節手段５３による混合水の流量を調節できるようになっている。
【０１９０】
流量計５５は、上述した流量計３と同様の構成で、流量調節手段５３により調節された混合水の流量を計量し、その計量情報を後述する制御部５６に伝達している。
【０１９１】
制御部５６は、流量計５５と弁体５７、スイッチ手段５９、湯温センサ６１、表示器６２と電気的に接続され、スイッチ手段５９のオン信号に基づいて、弁体５７の開閉動作を行うように制御すると共に、内部には図示しない記憶手段を備えており、この記憶手段に格納する予め定められた量と、流量計５５からの計量流量を積算した値とを比較し、流量計５５からの計量流量の積算値が、記憶手段に格納される予め定められた量に到達すれば、後述する弁体５７を閉弁するよう制御する。
【０１９２】
弁体５７は、制御部５６と接続し、制御部５６からの制御によって、通湯路５０内を流通する湯の開閉を行っている。
【０１９３】
吐水口５８は、弁体５７が開口する事で通湯路５０内を流通する湯を、浴槽６に落とし込む開口部である。
【０１９４】
湯温センサ６１は、通湯路５０を流通するお湯の湯温を計測し、上述した制御装置５６へ送信する温度計測手段である。
【０１９５】
表示器６２は、上述した湯温センサ６１が計測した湯温を表示するための表示手段である。
【０１９６】
（作動）
上述した構成の落とし込み式給湯機１００による、信頼性の高い湯張り完了の報知をなす作動を図１５を用いて説明する。
【０１９７】
まず、ステップＳ１０１にて制御装置２は、流量計３から流量情報の有無を検知する。（すなわち、給水配管４に湯が流通しているか否かを検知する）
ステップＳ１０１にて、流量情報が検知されると、ステップＳ１０２に進む。また検知されなければステップＳ１０３に進む。
【０１９８】
ステップＳ１０２にて、数式３にて湯張り完了の判定に用いる判定値Ｒを演算する。
（数３）  Ｒ＝（（ｔ０−ｔ２）Ｑ３／（ｔ１−ｔ２））−Ｃ１
ｔ０は、上述したようにリモコン９にて設定する浴槽６へ湯張りするお湯の温度である。
【０１９９】
また、ｔ１は上述したように湯温センサ１２が計測する給湯温度である。
【０２００】
また、ｔ２は上述したように水温センサ１１が計測する給水温度である。
【０２０１】
また、Ｑ３は上述したようにリモコン９にて設定する浴槽６へ湯張りするお湯の量（希望湯量）であると同時に、定量止水栓（５）にも予め設定する湯張り量である。
【０２０２】
また、Ｃ１は当該落とし込み式給湯機１００が持つ給湯量誤差を補正する補正値であり、メモリ２２ａに格納されている。
【０２０３】
上述した数式３にて判定値Ｒを求め終わると、ステップＳ１０４に進む。ちなみにこのステップＳ１０２の処理内容は請求項で示す第一の演算手段に相当する。
【０２０４】
また、ステップＳ１０１にて流量情報が検知されず、ステップＳ１０３に進んだ場合は、今までカウントされていた流量値（流量計３により計量された流量の積算値）をクリアし、ステップＳ１０１とステップＳ１０３との処理内容を閉ループ的に循環する。
【０２０５】
ステップＳ１０４にて、流量計３から伝達された流量情報をカウントする。（すなわち給湯配管４内を流通した流量を積算する）カウントが開始されると、ステップＳ１０５に進む。
【０２０６】
ステップＳ１０５にて、ステップＳ１０２にて求めた判定値Ｒと、ステップＳ１０４にてカウントされた流量値とを比較する。
【０２０７】
もし、カウントされている流量値が判定値Ｒ以上であれば、ステップＳ１０６に進む。カウントされている流量値が判定値Ｒ未満であれば、ステップＳ１０１に戻る。
【０２０８】
ステップＳ１０５にて、カウントされた流量値が、ステップＳ１０２で求めた判定値Ｒ以上になった場合は、ステップＳ１０６に進む。
【０２０９】
ステップＳ１０６にて、流量計３からの流量情報の有無を検知する。この処理内容は、ステップＳ１０１と同じ内容である。
【０２１０】
ステップＳ１０６にて、もし、流量計３からの流量情報が検知された場合は、ステップＳ１０６の処理内容を閉ループ的に循環する。
【０２１１】
もし、流量計３からの流量信号が検知されなかった場合は、ステップＳ１０７に進む。
【０２１２】
何故、このタイミングで（すなわちステップＳ１０６で）再度、流量計３からの流量情報の有無を検知するのかを以下に説明する。
【０２１３】
流量計３の下流側には定量止水栓５のみが存在している訳ではなく、流量計３と、定量止水栓５との間で、例えば台所や洗面所へも湯を給湯する為に、給湯配管４は分岐している。
【０２１４】
その為、流量計３は、定量止水栓５による浴槽６への給湯流量だけではなく、浴槽６、台所、洗面所その他、給湯されている全ての湯の総給湯流量を計量している。
【０２１５】
しかし、ステップＳ１０２で求めた判定値Ｒは、浴槽６に対する判定値なので、もし、定量止水栓５による浴槽６への給湯量と、台所への給湯量と、洗面所への給湯量との総計が、判定値Ｒに達すれば、浴槽６が満水状態になった、つまり「浴槽６に湯が張られた」と言う旨の報知をリモコン９を構成する表示器９４またはスピーカー９５に対して出力してしまう。
【０２１６】
しかし、実状は、浴槽６、台所、洗面所などの個別の給湯量の総量が、たまたま判定値Ｒに到達しただけなので、本当に浴槽６が満水状態、すなわち湯が張られ終わった状態なのか否かは分からない。
【０２１７】
また、定量止水栓５は、制御装置２や流量計３とは独立して流量を計量しながら給湯しているので、流量計３にて計量した総給湯量が、判定値Ｒになり、その事に対応して制御装置２がリモコン９に、浴槽６に湯が張られた旨を報知しても、まだ定量止水栓５は、浴槽６に対し、希望湯量（Ｑ３）に達する為に給湯し続けている。
【０２１８】
すなわち、報知内容と、実際の給湯動作とで不一致が発生する可能性がある。（すなわち報知内容に信頼性がない）
その為、ステップＳ１０６の処理内容により、浴槽６、台所、洗面所など、湯を給湯する場所への給湯作動が全て停止し、流量計３が流量情報を出力しない、または流量情報が０（ゼロ）である事を制御装置２によって検知し、完全に全ての給湯場所（浴槽６、台所、洗面所など）での給湯が停止した事を確認した後に、ステップＳ１０７に進む（すなわち、浴槽６に湯が張られた事を報知する）必要がある。
【０２１９】
ステップＳ１０６にて、流量計３から制御装置２へ流量情報が出力されて来ない（または流量情報が、０（ゼロ）と言う情報が出力される）と判定すると、ステップＳ１０７に進む。
【０２２０】
これは、すなわち定量止水栓５による給湯作動も停止し、浴槽６は定量止水栓５によって確実に満水状態になっている事を示している。
【０２２１】
そして、ステップＳ１０７にて、制御装置２からリモコン９へ湯張り完了の報知信号を出力する。
【０２２２】
この事は、すなわち定量止水栓５による浴槽６への給湯も完了していると言う事なので、ステップＳ１０７による湯張り完了の報知の信頼性は常に高いものになる。
【０２２３】
（作用効果）
上述した構成と作動とにより、信頼性の高い湯張り完了の報知をなす落とし込み式給湯機１００を提供する事が可能となる。
【０２２４】
（第六実施形態）
上述した第五実施形態では、流量計３が計量するのは給湯流量であり、その、計量した給湯流量の積算値と判定値Ｒとを制御装置２にて比較するものであったが、比較するのは、給湯量ではなく、給湯時間であっても第一実施形態で示した効果と同様の効果を得ることが可能である。
【０２２５】
図１６に、給湯時間を比較する事で、信頼性の高い湯張り完了の報知を行う制御に関するフローチャートを示す。
【０２２６】
ステップＳ１０１は、第五実施形態の図１５にて示した処理内容と同じである。
【０２２７】
しかし、流量計３から制御装置２へ流量信号が伝達されると、ステップＳ１１２に進む。伝達されないと、ステップＳ１１３に進む。
【０２２８】
ステップＳ１１２にて、数式６にて湯張り完了の判定に用いる判定時間Ｔを演算する。
（数６）Ｔ＝（（（ｔ０−ｔ１）Ｑ３／（ｔ１−ｔ２））／Ｋ）−Ｃ２
ｔ０は、上述したようにリモコン９にて設定する浴槽６へ湯張りするお湯の温度である。
【０２２９】
また、ｔ１は上述したように湯温センサ１２が計測する給湯温度である。
【０２３０】
また、ｔ２は上述したように水温センサ１１が計測する給水温度である。
【０２３１】
また、Ｑ３は上述したようにリモコン９にて設定する浴槽６へ湯張りするお湯の量（希望湯量）と同時に、定量止水栓（５）にも予め設定する湯張り量である。
【０２３２】
また、Ｋは単位時間当たりの単位流量であり、メモリ２２ａに格納されている。
【０２３３】
また、Ｃ２は当該落とし込み式給湯機１００が持つ給湯時間誤差を補正する補正値であり、メモリ２２ａに格納されている。
【０２３４】
上述した数式６にて判定時間Ｔを求め終わると、ステップＳ１１４に進む。
【０２３５】
ステップＳ１１４にて、給湯時間をカウントする。カウントを開始するとステップＳ１１５に進む。
【０２３６】
ステップＳ１１５にて、ステップＳ１１４でカウントしたカウント時間と、ステップＳ１１２で求めた判定時間Ｔとを比較する。
【０２３７】
もし、ステップＳ１１４でカウントしたカウント時間が、ステップＳ１１２で求めた判定時間Ｔ以上であれば、ステップＳ１０６に進む。
【０２３８】
ステップＳ１０６の処理内容は、第五実施形態の図１５で示した処理内容と同じだが、流量計３からの流量信号が伝達されない、または０（ゼロ）と伝達された場合には、ステップＳ１０７に進む。
【０２３９】
何らかの流量情報が伝達されている間は、ステップＳ１０１とステップＳ１０６にて閉ループ処理を続ける。
【０２４０】
ステップＳ１０７も、第五実施形態の図１５に示した処理内容と同じなのでここでは割愛する。
【０２４１】
上述したように、給湯量ではなく給湯時間を用いても、信頼性の高い湯張り完了に関する報知を行う事が可能となる。
【０２４２】
（変形例）
上述した第五、第六実施形態では、浴槽６用の水栓として定量止水栓５を用いた例であったが、必ずしも定量止水栓５を用いる必要はなく、所定時間吐水する定時間止水栓であってもよい。また、お湯と水とを混合する通常の混合水栓であっても良い。
【図面の簡単な説明】
【０２４３】
【図１】本発明の、落とし込み式給湯機１００を用いた給湯システム全体の概略を示した構成図である。
【図２】本発明の、制御装置２の内部の概略を示した構成図である。
【図３】本発明の、リモコン９の内部の概略を示した構成図である。
【図４】本発明の、定量止水栓５の内部の概略を示した構成図である。
【図５】第一実施形態における信頼性の高い湯張り完了の報知処理内容を示したフローチャートである。
【図６】第二実施形態における信頼性の高い湯張り完了の報知処理内容を示したフローチャートである。
【図７】第三実施形態における水栓の開閉動作とそれに伴う流量変化を示したタイムチャートである。
【図８】第三実施形態における定量止水栓５の処理内容を示したフローチャートである。
【図９】第三実施形態における信頼性の高い湯張り完了の報知処理内容を示したフローチャートである。
【図１０】第四実施形態における定時止水栓の処理内容を示したフローチャートである。
【図１１】第五実施形態における落とし込み式給湯機１００を用いた給湯システム全体の概略を示した構成図である。
【図１２】第五実施形態における制御装置２の内部の概略を示した構成図である。
【図１３】第五実施形態におけるリコモン９の概略の正面図である。
【図１４】第五実施形態における定量止水栓５の内部の概略を示した構成図である。
【図１５】第五実施形態における信頼性の高い湯張り完了の報知処理内容を示したフローチャートである。
【図１６】第六実施形態における信頼性の高い湯張り完了の報知処理内容を示したフローチャートである。
【符号の説明】
【０２４４】
１  加熱用熱交換器
２  制御装置
３  流量計
４  給湯配管
５  定量止水栓
６  浴槽
９  リモコン
１１  水温センサ（水温計測手段）
１２  湯温センサ（湯温計測手段）
９４  表示器（報知手段）
９５  スピーカー（報知手段）
【図１】
2005180903.tif 000003
【図２】
2005180903.tif 000004
【図３】
2005180903.tif 000005
【図４】
2005180903.tif 000006
【図５】
2005180903.tif 000007
【図６】
2005180903.tif 000008
【図７】
2005180903.tif 000009
【図８】
2005180903.tif 000010
【図９】
2005180903.tif 000011
【図１０】
2005180903.tif 000012
【図１１】
2005180903.tif 000013
【図１２】
2005180903.tif 000014
【図１３】
2005180903.tif 000015
【図１４】
2005180903.tif 000016
【図１５】
2005180903.tif 000017
【図１６】
2005180903.tif 000018